(57)【要約】【課題】外刃を補強できながら組み立てに要する手間および時間を低減して、製造コストを軽減できるようにする。【解決手段】下端面を開放した左右横長の逆樋状のセンター外刃６１と、センター外刃６１の左右両側において着脱可能に取り付けられる左右一対の側端ピース６６・６６と、センター外刃６１の下端開放面を覆うようにセンター外刃６１の下端部に装着される外刃補強枠６５とを備える。外刃補強枠６５は、センター外刃６１の下端部に装着した状態で、各側端ピース６６をセンター外刃６１に対して抜け止め状に固定する固定手段を有している。【選択図】図１
2008000457.tif 000002
【特許請求の範囲】
【請求項１】
下端面を開放した左右横長の逆樋状の外刃（６１）と、外刃（６１）の左右両側において着脱可能に取り付けられる左右一対の側端ピース（６６）・（６６）と、外刃（６１）の下端開放面を覆うように外刃（６１）の下端部に装着される外刃補強枠（６５）とを備えており、
外刃補強枠（６５）は、外刃（６１）の下端部に装着した状態で、各側端ピース（６６）を外刃（６１）に対して抜け止め状に固定する固定手段を有することを特徴とする電気かみそり。
【請求項２】
各側端ピース（６６）の前後側面には、突起（７５）が突設しており、
外刃（６１）は、刃部分（７０）の前後端から下向きにそれぞれ延出する前後一対の支持部分（７１）・（７１）を備えており、
外刃（６１）の各支持部分（７１）には、各側端ピース（６６）の突起（７５）がそれぞれ挿通する係合部（７６）が形成されていて、各側端ピース（６６）の突起（７５）が、外刃（６１）の内側から係合部（７６）を突き抜けて外刃（６１）の外側へ突出しており、
外刃補強枠（６５）は、底壁（１０５）と、底壁（１０５）の前後縁から上向きにそれぞれ延出する前後一対の前後側壁（１０６）・（１０６）と、前後側壁（１０６）・（１０６）の左右両端部にそれぞれ設けた係合孔（１０７）とを有していて、前後側壁（１０６）・（１０６）を外刃（６１）の支持部分（７１）・（７１）の下端部に外嵌した状態で、外刃（６１）の係合部（７６）から突出した各側端ピース（６６）の突起（７５）が係合部（１０７）にそれぞれ係合しており、
各側端ピース（６６）は、突起（７５）が外刃補強枠（６５）の係合部（１０７）に係合することで、外刃（６１）に固定される請求項１記載の電気かみそり。
【請求項３】
外刃補強枠（６５）が、外刃（６１）の左右両端部間にわたって延設されている請求項２記載の電気かみそり。
【請求項４】
外刃（６１）の内面に沿って摺接する左右横長の内刃（６２）と、内刃（６２）を支持する内刃ホルダー（６３）とを備えており、
外刃補強枠（６５）には、内刃ホルダー（６３）を介して内刃（６２）を外刃（６１）の内面に押し付け付勢するための内刃押付ばね（１０９）が一体に設けられており、
外刃（６１）の係合部（７６）は、外刃（６１）の支持部分（７１）の下端から上方へ延びてその上部（７６ａ）が外刃（６１）の左右方向の中央側へ延びていて、側端ピース（６６）の突起（７５）が、係合部（７６）の上部（７６ａ）に挿通した状態で上下方向の動きが規制されるようになっており、
外刃補強枠（６５）の係合部（１０７）は、側端ピース（６６）の突起（７５）が係合した状態で突起（７５）の左右方向の動きを規制するようになっており、
内刃ホルダー（６３）は、一方の側端ピース（６６）の突起（７５）を外刃（６１）の一方側の係合部（７６）の上部（７６ａ）に挿通させて一方の側端ピース（６６）を外刃（６１）の一方側に仮止めした状態で、内刃ホルダー（６３）の左右方向の一方側を前記一方の側端ピース（６６）の上側に差し入れて外刃（６１）の内面に内刃（６２）を沿わせ、その状態で他方の側端ピース（６６）の突起（７５）を外刃（６１）の他方側の係合部（７６）の上部（７６ａ）に挿通させて他方の側端ピース（６６）を外刃（６１）の他方側に仮止めすることで、外刃（６１）に対して抜け止め状態に組み付けられるようになっており、
内刃ホルダー（６３）を組み付けた外刃（６１）に対して支持部分（７１）・（７１）の下端部に外刃補強枠（６５）の前後側壁（１０６）・（１０６）を外嵌して、外刃（６１）の係合部（７６）から突出した各側端ピース（６６）の突起（７５）を係合部（１０７）にそれぞれ係合することで、内刃押付ばね（１０９）によって内刃（６２）が外刃（６１）の内面に押し付け付勢される請求項２又は３記載の電気かみそり。
【発明の詳細な説明】
【技術分野】
【０００１】
本発明は、癖髭などでも確実に剃ることができる往復動式の切断刃を備えた電気かみそりに関する。切断刃は、スリット刃、櫛歯または鋸状刃などからなる外刃と内刃とを切断要素にして構成してある。
【背景技術】
【０００２】
特許文献１には、外刃の左右両側に側端ピース（刃ホルダ）を取り付けてあるとともに、左右の側端ピースの間を刃カバーで連結するものが開示されている。特許文献２には、外刃の左右両側に側端ピース（プレート）を取り付けてあるものが開示されている。
【０００３】
【特許文献１】特開平９−２５３３５３号公報（図１−３）
【特許文献２】特開平６−１８２０６４号公報（図１・５・８）
【発明の開示】
【発明が解決しようとする課題】
【０００４】
特許文献１では、外刃を左右の側端ピースのみで支持しているために、髭剃りなどの際に外刃が曲げ変形したりねじれ変形したりするおそれがある。特許文献２では、外刃の刃部分の前後端から下向きにそれぞれ支持部分を折り曲げ形成しており、支持部分を設けた分だけ外刃が補強されているが、外刃の厚さ寸法が小さいために支持部分だけでは補強として不十分である。
【０００５】
この対策として、外刃の下端に補強枠を取り付けて補強することが考えられる。この場合、外刃と左右の側端ピースと補強枠とを組み立てて一体化することになるが、その組み立てに際して、接着剤などを使用して外刃に側端ピースを固定するようにすると、その分だけ組み立てに手間および時間などを要するところに問題がある。
【０００６】
そこで本発明の目的は、外刃を補強できながら組み立てに要する手間および時間を低減して、製造コストを軽減できる電気かみそりを提供することにある。
【課題を解決するための手段】
【０００７】
本発明の電気かみそりは、図１および図７に示すごとく、下端面を開放した左右横長の逆樋状の外刃６１と、外刃６１の左右両側において着脱可能に取り付けられる左右一対の側端ピース６６・６６と、外刃６１の下端開放面を覆うように外刃６１の下端部に装着される外刃補強枠６５とを備えている。外刃補強枠６５は、外刃６１の下端部に装着した状態で、各側端ピース６６を外刃６１に対して抜け止め状に固定する固定手段を有している。外刃補強枠６５は、複数個に分割されていてもよい。
【０００８】
具体的には、各側端ピース６６の前後側面に突起７５が突設しており、外刃６１が、刃部分７０の前後端から下向きにそれぞれ延出する前後一対の支持部分７１・７１を備えている。外刃６１の各支持部分７１には、各側端ピース６６の突起７５がそれぞれ挿通する係合部７６が形成されていて、各側端ピース６６の突起７５が、外刃６１の内側から係合部７６を突き抜けて外刃６１の支持部分７１の外側へ突出している。外刃補強枠６５は、底壁１０５と、底壁１０５の前後縁から上向きに延出する前後側壁１０６・１０６と、前後側壁１０６・１０６の左右両端部にそれぞれ設けた係合孔１０７とを有していて、前後側壁１０６・１０６を外刃６１の支持部分７１・７１の下端部に外嵌した状態で、外刃６１の係合部７６から突出した各側端ピース６６の突起７５が係合部１０７にそれぞれ係合している。各側端ピース６６は、突起７５が外刃補強枠６５の係合部１０７に係合することで、外刃補強枠６５と共に外刃６１に対して抜け止め状に固定される。
【０００９】
外刃６１の係合部７６や外刃補強枠６５の係合孔１０７は、丸穴や切り欠きや溝などであってもよい。各側端ピース６６の突起７５は、外刃補強枠６５の係合部１０７に係合した状態で外刃補強枠６５に溶着させてもよい。
【００１０】
詳しくは、外刃補強枠６５が、外刃６１の左右両端部間にわたって延設されていて、外刃補強枠６５によって外刃６１の左右の全長にわたって補強される。
【００１１】
より詳しくは、外刃６１の内面に沿って摺接する左右横長の内刃６２と、内刃６２を支持する内刃ホルダー６３とを備えている。外刃補強枠６５には、内刃ホルダー６３を介して内刃６２を外刃６１の内面に押し付け付勢するための内刃押付ばね１０９が一体に設けられている。外刃６１の係合部７６は、外刃６１の支持部分７１の下端から上方へ延びてその上部７６ａが外刃６１の左右方向の中央側へ延びていて、側端ピース６６の突起７５が、係合部７６の上部７６ａに挿通した状態で上下方向の動きが規制されるようになっている。外刃補強枠６５の係合部１０７は、側端ピース６６の突起７５が係合した状態で突起７５の左右方向の動きを規制するようになっている。内刃ホルダー６３は、一方の側端ピース６６の突起７５を外刃６１の一方側の係合部７６の上部７６ａに挿通させて一方の側端ピース６６を外刃６１の一方側に仮止めした状態で、内刃ホルダー６３の左右方向の一方側を一方の側端ピース６６の上側に差し入れて外刃６１の内面に内刃６２を沿わせ、その状態で他方の側端ピース６６の突起７５を外刃６１の他方側の係合部７６の上部７６ａに挿通させて他方の側端ピース６６を外刃６１の他方側に仮止めすることで、外刃６１に対して抜け止め状態に組み付けられるようになっている。そして、内刃ホルダー６３を組み付けた外刃６１に対して支持部分７１・７１の下端部に外刃補強枠６５の前後側壁１０６・１０６を外嵌して、外刃６１の係合部７６から突出した各側端ピース６６の突起７５を係合部１０７にそれぞれ係合することで、各側端ピース６６が外刃６１に対して抜け止め状に固定されるうえ、内刃押付ばね１０９によって内刃６２が外刃６１の内面に押し付け付勢される。これにより、接着剤などを使用しなくても、外刃６１と、内刃６２を支持する内刃ホルダー６３と、左右の側端ピース６６・６６と、外刃補強枠６５とを組み立ててユニット化することができる。なお、外刃補強枠６５と共に外刃６１を押し上げ付勢するためのユニット押上ばね１１０を、外刃補強枠６５に一体に設けてもよい。この場合、ユニット押上ばね１１０によって、支持枠９０などに対して外刃６１を押し上げ付勢することが可能となる。
【発明の効果】
【００１２】
本発明によれば、外刃６１の下端を受け止める外刃補強枠６５を付加した分だけ、外刃６１の構造強度を増強して、外刃６１が曲げ変形され、あるいはねじれ変形するのを確実に防止できる。そのうえで、外刃補強枠６５を外刃６１の下端部に装着するに伴って、外刃補強枠６５によって各側端ピース６６が外刃６１に対して抜け止め状に固定されるので、その分だけ外刃６１と外刃補強枠６５と左右の各側端ピース６６との組み立てに要する手間および時間を軽減できる。
【００１３】
外刃補強枠６５の前後側壁１０６・１０６を外刃６１の支持部分７１・７１に外嵌した状態で、外刃６１の係合部７６から突出した各側端ピース６６の突起７５を係合部１０７に係合すると、側端ピース６６は、外刃６１に対して上下左右に動くことなくしっかりと固定される。また、外刃６１の支持部分７１・７１の間に側端ピース６６が位置し、その支持部分７１・７１の外側に外刃補強枠６５の前後側壁１０６・１０６が覆い被さるために、外刃補強枠６５が支持部分７１・７１にしっかりと固定され、また外刃６１の支持部分７１・７１が前後方向に動くことがなく、これによって外刃６１が歪むことを確実に防止できて切れ味の低下を防止できる。
【００１４】
外刃補強枠６５に、内刃押付ばね１０９を一体に設けると、コイルばねなどの別部品で内刃６２を付勢する場合よりも組み立てに要する手間および時間を大幅に軽減できるとともに、部品点数を減らすことができて製造コストを削減できる。
【発明を実施するための最良の形態】
【００１５】
（実施例１）  図１ないし図１０は、本発明に係る電気かみそりの実施例１を示す。電気かみそりは、図２に示すごとく、グリップを兼ねる本体部１と、本体部１の上方に配置されるヘッド部２とを備えている。ヘッド部２は、図５に示すごとく、コイルばねなどからなるフロート機構１９を介して本体部１に取り付けてあり、ヘッド部２の全体が前後、左右、上下および斜め方向の全方位方向へ首振りできる状態で支持されている。
【００１６】
ヘッド部２は、図２ないし図４に示すごとく、前後一対のロータリー式のメイン刃３・３と、両メイン刃３・３の間に配置される往復動式のセンター刃（切断刃ユニット）５と、メイン刃３やセンター刃５などの駆動源となる横置きのモーター６と、モーター６の駆動力をメイン刃３やセンター刃５などに伝達する駆動機構７と、これらの部材を収容するヘッドケース９および前後一対のカバー１０・１０と、ヘッドケース９に対して着脱可能に装着される内刃ユニット１１および外刃ユニット１２などを有する。各メイン刃３は主に短い髭を切断し、センター刃５は主に長い髭を切断する。
【００１７】
本体部１は、二次電池１３・１３および制御回路基板１５などを収容した液密構造の内ケース（図示していない）を前後から覆う前後カバー１６・１７と、前カバー１６の上下に組み付けられる表示パネル２０およびスイッチパネル２１などを有する。後カバー１７の上部背面には、きわ剃刃ユニット２２が組み込まれている。きわ剃刃ユニット２２は、それぞれ鋸刃状の切刃を備えた固定刃および可動刃を備えており、可動刃が駆動機構７を介して前記モーター６で往復駆動される。
【００１８】
表示パネル２０は、半透明のハーフミラーなどで形成してあって、電気かみそりの使用時にはモーター６の稼動状態や運転モードなどを表示し、不使用時にはひげそり結果を確認するための鏡として使用することができる。スイッチパネル２１には、モーター６を起動あるいは停止させるための押しボタンスイッチ２３と、モーター６の運転モードを切り換える押しボタンスイッチ２５などが配されている。
【００１９】
各メイン刃３は、図６に示すごとく、ステンレス製の薄板状の網刃からなるメイン外刃２６と、ステンレス製の薄板状の小刃２７を有するメイン内刃２９とで構成される。外刃ユニット１２は、図４および図６に示すごとく、上下面がそれぞれ開口する外刃ホルダー３０と、外刃ホルダー３０の上部に着脱可能に装着される刃体ユニット３１とを有する。
【００２０】
刃体ユニット３１は、前後方向に逆Ｕ字状に保形された前後一対の前記メイン外刃２６・２６と、前記センター刃５と、上下面が開口していてその上面開口に前記メイン外刃２６・２６およびセンター刃５を配する外刃フレーム３２とを有する。外刃フレーム３２の内面の前後には、各メイン外刃２６の前後外側の端部がそれぞれ固定される。
【００２１】
ヘッドケース９の左右両側には、図４および図５に示すごとく、外刃ユニット１２をロック保持するためのロック体３３・３３をそれぞれ配してある。各ロック体３３は、上側に延出する係合爪３６を有するとともに、ばね３７でヘッドケース９の左右方向の外側へ付勢されている。この付勢によって各ロック体３３の係合爪３６が、外刃ユニット１２の外刃ホルダー３０の内面の左右にそれぞれ形成した係合凹部３９に係合する。各ロック体３３をばね３７の付勢力に抗して押し込み操作すると、係合爪３６が外刃ホルダー３０の係合凹部３９から外れて、外刃ユニット１２をヘッドケース９から取り外すことができる。
【００２２】
外刃ホルダー３０の左右両側には、刃体ユニット３１をロック保持するためのロックボタン４０・４０をそれぞれ設けてある。ロックボタン４０・４０を押し込み操作することで、刃体ユニット３１を外刃ホルダー３０から押し出すことができる。
【００２３】
内刃ユニット１１は、左右横長のベース壁４２の左右両側に中空状の軸受壁４３・４３をそれぞれ起立形成した内刃フレーム４５と、前記軸受壁４３・４３の上部に横置き状に配置される前後一対の前記メイン内刃２９・２９と、一方の軸受壁４３内（図４の左側）に配される上下一対のギヤ４６・４６などを有する。
【００２４】
ギヤ４６・４６は、駆動機構７のギヤ４７に連結されるようになっており、モーター６の駆動力が、駆動機構７およびギヤ４６・４６を介してメイン内刃２９・２９に伝達される。内刃ユニット１１のベース壁４２の下面の左右には、係止凹部４９がそれぞれ設けられており、各係止凹部４９に、ヘッドケース９の上面部に配したロック爪５０が着脱自在に係止される。
【００２５】
ヘッドケース９の上面の左右両側には、前記ギヤ４７に連結する駆動機構７の一部を覆うカバー５１と、前後ロック爪５０を係止凹部４９から外すための解除機構５２の一部を覆うカバー５３とがそれぞれ起立状に形成してある。カバー５３の外面側には、解除機構５２でロック爪５０の前記係止を解除させるための解除ボタン５５が突出している。解除ボタン５５を押し込み操作することで、ロック爪５０が係止凹部４９から外れて、内刃ユニット１１をヘッドケース９から取り外すことができる。
【００２６】
各メイン内刃２９は、図６に示すごとく、１２枚の前記小刃２７を円柱状の樹脂基台５６に対してスパイラル状に埋め込んであり、各小刃２７は、メイン内刃２９の中心軸に対して斜めに傾いた状態に配される。駆動機構７は、減速機構、プーリー、タイミングベルトおよび前記ギヤ４７などを有しており、モーター６の回転を減速して各メイン内刃２９に伝達する。各メイン内刃２９は、横軸回りに回転駆動され、これによってメイン内刃２９がメイン外刃２６と協同して髭を切断する。
【００２７】
センター刃５は、図６および図７に示すごとく、下端面を開放した逆樋状に形成される左右横長のセンター外刃６１と、センター外刃６１の内面に沿って摺接する左右横長のセンター内刃６２と、センター内刃６２を支持する内刃ホルダー６３と、センター外刃６１の下端開放面を覆うようにセンター外刃６１の下端部に装着される外刃補強枠６５と、センター外刃６１の左右両側にそれぞれ取り付けられる左右一対の側端ピース６６・６６などを備えており、これらの部品を組むことにより１個のユニット部品とすることができる。各側端ピース６６は、プラスチック成形品からなる。外刃補強枠６５は、ステンレス板材などの金属製板材を素材にしてプレス加工することで形成される。
【００２８】
センター外刃６１は、櫛刃状の複数の切刃６９を形成してある刃部分７０と、刃部分７０の前後端から下向きにそれぞれ延出して刃部分７０を支持する前後一対の支持部分７１・７１とを一体に備えており、エッチング法で形成したシート状の刃ブランクにプレス加工を施して形成する。
【００２９】
前記切刃６９は、刃部分７０の前後中央の基枠７２の前後両縁に対してそれぞれ左右方向に並べて形成してある。センター外刃６１の全体が、断面逆台形状に折り曲げてあり、図６に示すごとく基枠７２を含む刃部分７０の上面がほぼ平面になっている。刃部分７０の左右両端部は、外刃フレーム３２の上端左右にそれぞれ載っている（図１参照）。
【００３０】
左右の側端ピース６６・６６の前後の各側面には、図７に示すごとく、それぞれ左右一対のピン（突起）７５が突設してある。センター外刃６１の各支持部分７１の左右両端には、それぞれ左右一対の係合部７６が切り欠き形成してある。各係合部７６は、図７および図８に示すごとく、外刃６１の支持部分７１の下端から上方へ延びてその上部（嵌合溝部）７６ａが外刃６１の左右方向の中央側へ延びている。
【００３１】
各側端ピース６６の各ピン７５が、各係合部７６の下端から係合部７６内に導入されて嵌合溝部７６ａを挿通したときには、図９および図１０に示すごとく、各ピン７５は外刃６１の内側から係合部７６を突き抜けて、その先端部がセンター外刃６１の支持部分７１の外側へ突出している。この状態で、側端ピース６６の各ピン７５は、上下方向の動きが規制された仮止め状態で係合部７６に取り付けられる。
【００３２】
センター内刃６２は、図７に示すごとく、エッチング法で複数の切刃７７を鋸刃状に形成してある。つまり、各切刃７７は、センター内刃６２の前後中央の基枠７９の前後両縁に対してそれぞれ左右方向に並べて形成してある。センター内刃６２は、基枠７９の左右両端からそれぞれ斜め下向きに折れ曲がる連結爪８０・８０を一体に備えている。センター内刃６２における支持部分は連結爪８０・８０が兼ねている。センター外刃６１およびセンター内刃６２は、それぞれステンレス板材を素材にして形成してあり、センター外刃６１の厚み寸法を0.３５mmとするとき、センター内刃６２の厚み寸法は0.３mmとした。
【００３３】
内刃ホルダー６３は、図７および図８に示すごとく、左右寸法がセンター内刃６２より僅かに大きな横長のプラスチック成形品からなり、その下面中央に駆動機構７の駆動ピース８１（図５参照）と係合する門形の受動ピース８２が下向きに突出形成してある。内刃ホルダー６３の上面には、センター内刃６２を受け止め支持するための４個の突起８３が形成されており、左右両側の各突起８３につながる各凸部８５の上面には、センター内刃６２の連結爪８０を差し込み係合するための係合孔８６がそれぞれ開口している。
【００３４】
内刃ホルダー６３の左右両端の下面には、左右横長の凸条部８７がそれぞれ形成されており、各凸条部８７が、図９および図１０に示すごとく、各側端ピース６６の上面に形成した左右横長の溝８９にそれぞれスライド移動可能に嵌まり込む。各側端ピース６６の溝８９によって内刃ホルダー６３の左右方向の往復動が案内される。
【００３５】
刃体ユニット３１の外刃フレーム３２には、図６に示すごとく、各メイン外刃２６の前後内側の端部をそれぞれ固定するための支持枠９０が取り付けられる。支持枠９０は、図１および図４に示すごとく、左右方向の中央に内刃ホルダー６３の受動ピース８２が挿通する左右横長の孔９１を設けた上壁９２と、上壁９２の前後縁から下向きに折れ曲がる前後側壁９３・９３と、各側端ピース６６の左右外側に形成した係止突起９５が係合する係合孔９６をそれぞれ設けた左右側壁９７・９７とを一体に備えている。係合孔９６の上下寸法は係止突起９５の上下寸法よりも大きくなっていて、センター刃５が上下揺動可能な状態で上方への抜け止めが図られている。
【００３６】
前記係合部７６の嵌合溝部７６ａは、外刃６１の左右方向の端部側へ延びていてもよいが、前述のごとく外刃６１の左右方向の中央側へ延びていることが好ましい。つまり、側端ピース６６の係止突起９５を支持枠９０の係合孔９６に係合したときには、側端ピース６６が支持枠９０の左右側壁９７によって支持枠９０の左右方向の中央側へ押される。
【００３７】
このとき、係合部７６の嵌合溝部７６ａが外刃６１の左右方向の端部側へ延びていると、側端ピース６６のピン７５は、外刃補強枠６５の係合部１０７の内面でのみ受け止められる。これに対して、前述のごとく嵌合溝部７６ａが外刃６１の左右方向の中央側へ延びていると、側端ピース６６のピン７５は、外刃補強枠６５の係合部１０７の内面と嵌合溝部７６ａの内面とで受け止められ、前記嵌合溝部７６ａが外刃６１の左右方向の端部側へ延びている場合よりもしっかりと保持される。
【００３８】
支持枠９０の下端には、保護プレート９９が着脱可能に装着される。つまり、保護プレート９９の左右両端には、複数の上向きの係止爪１００が設けられており、各係止爪１００が、支持枠９０の前後側壁９３・９３の左右両端に形成した切り欠き１０１にそれぞれ係止されることで、保護プレート９９が支持枠９０に装着される（図１の状態）。支持枠９０の左右両端には、係止片１０２がそれぞれ外向きに突出形成してある。係止片１０２によって支持枠９０が、外刃フレーム３２に係止される。
【００３９】
各側端ピース６６は、図７に示すごとく、前記ピン７５と、前記溝８９と、前記係止突起９５とを有しており、側端ピース６６・６６によって外刃補強枠６５がセンター外刃６１の下端に外嵌装着されて、外刃補強枠６５とセンター外刃６１とが結合する。外刃補強枠６５は、センター外刃６１の左右両端部間にわたって延設され、底壁１０５と、底壁１０５の前後縁から上向きにそれぞれ延出する前後一対の前後側壁１０６・１０６と、前後側壁１０６・１０６の左右両端部にそれぞれ設けた左右一対の係合孔１０７とを有している。
【００４０】
外刃補強枠６５の前後側壁１０６・１０６をセンター外刃６１の支持部分７１・７１の下端部に外嵌した状態で、図９および図１０に示すごとく、センター外刃６１の係合部７６の嵌合溝部７６ａから突出した側端ピース６６のピン７５が、突き抜けた状態で外刃補強枠６５の前後側壁１０６・１０６の係合部１０７に係合する。各側端ピース６６は、ピン７５が外刃補強枠６５の係合部１０７に係合することで、外刃補強枠６５と共にセンター外刃６１に装着固定される。外刃補強枠６５の係合部１０７は、側端ピース６６のピン７５が係合した状態でピン７５の左右方向の動きを規制する。この外刃補強枠６５をセンター外刃６１の下端部に装着した状態で、各側端ピース６６は、前後左右に動くことがなく、センター外刃６１に対して抜け止め状に固定される。
【００４１】
外刃補強枠６５の底壁１０５の左右両側には、図１および図８に示すごとく、内刃ホルダー６３を介してセンター内刃６２をセンター外刃６１の内面に押し付け付勢する左右一対の内刃押付ばね１０９・１０９と、センター刃５を押し上げ付勢する左右一対のユニット押上ばね１１０・１１０とが一体に設けられている。
【００４２】
左右の内刃押付ばね１０９・１０９は、斜め上方向に立ち上がって内刃ホルダー６３の下面に当接しており、左右のユニット押上ばね１１０・１１０は、左右の内刃押付ばね１０９・１０９よりもセンター刃５の左右方向の外側に配されている。左右のユニット押上ばね１１０・１１０は、斜め下方向に延びて支持枠９０の上壁９２の上面に当接している。つまり、左右のユニット押上ばね１１０・１１０どうしの間隔が大きくなって、センター刃５の傾きをユニット押上ばね１１０・１１０でしっかりと受け止めて、センター刃５の傾きを確実に抑えることができる。
【００４３】
外刃補強枠６５の底壁１０５の左右両側であって、内刃押付ばね１０９とユニット押上ばね１１０との間には、図７および図８に示すごとく、各側端ピース６６の下面に形成した係合突起１１１がそれぞれ係合する係合孔１１２が形成されている。各側端ピース６６の係合突起１１１が外刃補強枠６５の係合孔１１２に係合することで、各側端ピース６６の左右方向へのずれ動きが規制される。外刃補強枠６５の底壁１０５の左右中央には、内刃ホルダー６３の受動ピース８２が挿通する左右横長の孔１１３を設けてある。
【００４４】
センター刃５の組み立ては以下の手順で行う。まず、センター内刃６２の左右の連結爪８０・８０を内刃ホルダー６３の左右の係合孔８６・８６にそれぞれ差し入れて、内刃ホルダー６３の上面にセンター内刃６２を装着支持する。次に、一方の側端ピース６６のピン７５・７５をセンター外刃６１の左右方向の一方側の係合部７６・７６の嵌合溝部７６ａに挿通させて、一方の側端ピース６６をセンター外刃６１の左右方向の一方側に仮止めする。
【００４５】
続いて、センター内刃６２を取り付けた内刃ホルダー６３を、一方の側端ピース６６の上側に差し入れて、内刃ホルダー６３の左右方向の一方側の凸条部８７を一方の側端ピース６６の上面の溝８９に嵌合させながら、センター外刃６１の内面にセンター内刃６２を沿わせる。
【００４６】
その状態で、他方の側端ピース６６のピン７５・７５を、センター外刃６１の左右方向の他方側の係合部７６・７６の嵌合溝部７６ａに挿通させて、他方の側端ピース６６をセンター外刃６１の左右方向の他方側に仮止めする。このとき、内刃ホルダー６３の左右方向の他方側の凸条部８７が、他方の側端ピース６６の上面の溝８９に嵌合している。これによって、センター内刃６２および内刃ホルダー６３が、センター外刃６１に対して抜け止め状態に組み付けられる。
【００４７】
そして、前記センター内刃６２および内刃ホルダー６３を組み付けたセンター外刃６１に対して、外刃補強枠６５が装着される。つまり、センター外刃６１の支持部分７１・７１の下端部に外刃補強枠６５の前後側壁１０６・１０６が外嵌するように、外刃補強枠６５をセンター外刃６１および両側端ピース６６・６６の下方から押し込む。すると、外刃補強枠６５の前後側壁１０６・１０６が、前後方向に広がるように弾性変形して側端ピース６６・６６の各ピン７５を乗り越え、次いで弾性復元力で外刃補強枠６５の各係合孔１０７が各ピン７５にパチンと嵌まり込んで、センター外刃６１の係合部７６から突出した各側端ピース６６の突起７５が係合部１０７にそれぞれ係合する。このとき、外刃補強枠６５の係合孔１１２・１１２には、各側端ピース６６の係合突起１１１がそれぞれ係合し、外刃補強枠６５の底壁１０５の孔１１３には、内刃ホルダー６３の受動ピース８２が挿通する。
【００４８】
この状態で、各側端ピース６６は、センター外刃６１に対して上下左右に動くことなくしっかりと固定される。また、センター外刃６１の前後の支持部分７１・７１の間に側端ピース６６・６６が位置し、その支持部分７１・７１の外側に外刃補強枠６５の前後側壁１０６・１０６が覆い被さっていて、その外刃補強枠６５の弾性力で前後側壁１０６・１０６が側端ピース６６・６６に臨む支持部分７１・７１を押圧する。これによって、センター外刃６１の支持部分７１・７１が前後方向に動くことがなく、したがってセンター外刃６１が歪むことを確実に防止でき、センター刃５の切れ味の低下を防止できる。
【００４９】
このように、外刃補強枠６５とセンター外刃６１とが、両側端ピース６６・６６によって結合され、外刃補強枠６５が内刃押付ばね１０９および内刃ホルダー６３を介してセンター内刃６２を支持した状態で、センター外刃６１とセンター内刃６２と内刃ホルダー６３と左右の側端ピース６６・６６と外刃補強枠６５とが一体化（ユニット化）する。このセンター刃５の組み立てに、接着剤などの使用を必要としないために前記組み立てに要する手間などを軽減できることになる。また、例えば製造工程で内刃ホルダー６３の成形不良が見つかった場合にも、センター外刃６１とセンター内刃６２と内刃ホルダー６３と側端ピース６６と外刃補強枠６５とを容易に分解して、内刃ホルダー６３の交換などを行えることになる。
【００５０】
前記センター刃５を刃体ユニット３１に装着したときには、外刃補強枠６５の左右のユニット押上ばね１１０・１１０が支持枠９０の上壁９２の上面に当接する。この刃体ユニット３１を外刃ユニット１２に装着してヘッドケース９に組み付けたときには、駆動機構７の駆動ピース８１が内刃ホルダー６３の受動ピース８２に係合する。この状態で、モーター６によってセンター内刃６２が、センター外刃６１の内面に沿って左右往復駆動されるようになる。
【００５１】
（実施例２）  実施例２では、図１１に示すごとく、外刃補強枠６５を左右一対の小補強枠１１５・１１５に分割している。各小補強枠１１５は、前記内刃押付ばね１０９と、ユニット押上ばね１１０と、係合孔１１２と、前後４個の係合孔１０７とを設けてある。そして、各小補強枠１１５は、実施例１と同様に、各側端ピース６６を介してセンター外刃６１の下端の左右両端にそれぞれ装着される。
【００５２】
各小補強枠１１５の左右長さ寸法は、側端ピース６６の左右長さ寸法程度に設定してある。各小補強枠１１５のユニット押上ばね１１０は、実施例１と同様に、センター刃５において内刃押付ばね１０９よりも左右方向の外側になっている。その他の点は、実施例１と同じであるので説明を省略する。
【００５３】
前記各実施例では、センター刃５が前後一対のメイン刃３・３の間に配置してある場合を例示したが、センター刃５は、メイン刃３・３の前後方向の外側に配置してもよい。また、センター刃５は、ヘッド部１２に組み込む必要はなく、本体ケース１に組むこともできる。その場合には、メイン刃３・３の前後方向のいずれか一側に隣接する膨出壁を本体ケース１の上部に形成し、この膨出壁にセンター刃５を組み込むとよい。
【００５４】
メイン刃３・３をセンター刃５と同様のスリット刃や櫛刃などで構成してもよい。外刃補強枠６５はプラスチック成形品で構成することができる。センター外刃６１とセンター内刃６２とは、それぞれスリット刃、櫛刃および鋸刃などのいずれで構成してあってもよい。網刃でセンター外刃６１を構成することもできる。内刃押付ばね１０９あるいはユニット押上ばね１１０の少なくとも一方は、外刃補強枠６５とは別体のコイルばねなどで形成してもよい。
【００５５】
センター外刃６１の係合部７６は、側端ピース６６のピン７５の径寸法よりも大きな左右方向の径寸法を有する丸穴あるいは楕円形の穴や、左右横長の溝などであってもよい。これらの場合、側端ピース６６をセンター外刃６１の支持部分７１・７１の下方から押し込むことで、センター外刃６１の支持部分７１・７１が、前後方向に広がるように弾性変形して側端ピース６６の各ピン７５を乗り越える。
【００５６】
次いで、センター外刃６１の弾性復元力で、支持部分７１・７１の前記丸穴などの各係合部７６が側端ピース６６の各ピン７５にパチンと係合する。これにより、側端ピース６６は、センター外刃６１の支持部分７１・７１の係合部７６に対して左右の動きを許す状態で仮止めされる。両側端ピース６６・６６が係合部７６に仮止めされた後、先の要領でセンター外刃６１に外刃補強枠６５が装着される。
【００５７】
前記説明では、ピン７５は、側端ピース６６の前後側面にそれぞれ２個ずつ設けたが、１個ずつでもよく、３個ずつであってもよい。各ピン７５は、円柱形状でもよく、四角柱形状でもよく、あるいは断面楕円形状であってもよい。
【図面の簡単な説明】
【００５８】
【図１】本発明の実施例１に係るセンター刃の縦断正面図
【図２】電気かみそりの正面図
【図３】電気かみそりの側面図
【図４】電気かみそりのヘッド部の分解斜視図
【図５】ヘッド部の縦断正面図
【図６】ヘッド部の縦断側面図
【図７】センター刃の分解斜視図
【図８】一部を破断したセンター刃の分解正面図である。
【図９】図１のＡ−Ａ線断面図
【図１０】図９のＢ−Ｂ線断面図
【図１１】実施例２に係るセンター刃の一部を破断した縦断正面図
【符号の説明】
【００５９】
１  本体部
２  ヘッド部
３  メイン刃
５  センター刃
６１  センター外刃
６２  センター内刃
６３  内刃ホルダー
６５  外刃補強枠
６６  側端ピース
７０  刃部分
７１  支持部分
７５  ピン
７６  係合部
１０５  底壁
１０６  前後側壁
１０７  係合孔
１０９  内刃押付ばね
１１０  ユニット押上ばね
【図１】
2008000457.tif 000003
【図２】
2008000457.tif 000004
【図３】
2008000457.tif 000005
【図４】
2008000457.tif 000006
【図５】
2008000457.tif 000007
【図６】
2008000457.tif 000008
【図７】
2008000457.tif 000009
【図８】
2008000457.tif 000010
【図９】
2008000457.tif 000011
【図１０】
2008000457.tif 000012
【図１１】
2008000457.tif 000013